(57)【要約】【課題】箱体に対するシートの脱着が容易であり、被収納物を収納する際に発生する騒音や衝撃力を抑制することができる安価な収納箱を提供する。【解決手段】上面を開口した箱体１１と、箱体１１の底面１１Ａに配置されるシート１２を備え、箱体１１に係合部４０を形成し、シート１２に係合部４０が係脱可能に係合する被係合部５４を形成し、係合部４０は、箱体１１の側壁３１に形成され且つ被係合部５４を挿入可能な開口部４３を有し、開口部４３に被係合部５４を挿入することにより、被係合部５４と係合してシート１２を箱体１１の底面１１Ａに配置してなる収納箱である。【選択図】        図１
2004351140.tif 000002
【特許請求の範囲】
【請求項１】
上面を開口した箱体と、当該箱体の底面に配置されるシートと、を備えた収納箱であって、
前記箱体に係合部を形成し、前記シートに当該係合部が係脱可能に係合する被係合部を形成してなり、
前記係合部は、前記箱体の側壁に形成され且つ前記被係合部を挿入可能な開口部を有し、前記開口部に前記被係合部を挿入することにより、当該被係合部と係合して前記シートを前記箱体の底面に配置してなる収納箱。
【請求項２】
前記係合部は、開口部に挿入された被係合部に当接して、当該被係合部が前記箱体の上面に向けて移動することを阻止する当接部をさらに備えた請求項１記載の収納箱。
【請求項３】
前記当接部に係合突起を形成し、前記被係合部に当該係合突起が係脱可能に係合する係合凹部を形成した請求項２記載の収納箱。
【請求項４】
前記当接部に係合凹部を形成し、前記被係合部に当該係合凹部が係脱可能に係合する係合突起を形成した請求項２記載の収納箱。
【請求項５】
前記係合部を、前記箱体の対向した一対の側壁に形成した請求項１ないし請求項４のいずれか一項に記載の収納箱。
【請求項６】
前記シートが透過性を有し、前記箱体の底面と当該シートとの間に第３のシートを配設した請求項１ないし請求項５のいずれか一項に記載の収納箱。
【請求項７】
前記箱体の底面に配置されたシートの上に、前記係合部と係合可能な被係合部を備えた透過性シートをさらに配設し、前記シートと透過性シートとの間に、第３のシートを配設した請求項１ないし請求項５のいずれか一項に記載の収納箱。
【請求項８】
前記箱体が、パチンコ用玉箱である請求項１ないし請求項７のいずれか一項に記載の収納箱。
【請求項９】
前記第３のシートが広告である請求項６または請求項７記載の収納箱。
【発明の詳細な説明】
【０００１】
【発明が属する技術分野】
本発明は、例えば、パチンコ玉、あるいはスロットマシンやパチスロ機のメダル等のような被収納物を収納する際に発生する騒音や衝撃力を抑制することが可能な収納箱に関する。
【０００２】
【従来の技術】
従来、被収納物を収納箱に入れる際には、通常、これに伴う騒音や衝撃力が発生する。その一例として、パチンコ玉をパチンコ用玉箱に収納する際は、パチンコ台の受け皿から排出されるパチンコ玉が、パチンコ用玉箱にぶつかった時に大きな衝撃音を生じ、パチンコ店内の大きな騒音源となっている。
【０００３】
そこで、この騒音の発生を防止する目的で、パチンコ用玉箱本体の底面に弾力板（スポンジやビニール等）を両面テープ等で貼り、落下して来るパチンコ玉による衝撃音を和らげるようにしたパチンコ用玉箱が提案されている。
【０００４】
また、パチンコ用玉箱本体の底面に緩衝シート（弾力板）を融着させたパチンコ用玉箱も提案されている。（例えば、特許文献１参照）。
【０００５】
しかしながら、前述したパチンコ用玉箱は、前記弾力板と、パチンコ用玉箱本体との隙間にゴミが詰まって汚れやすいという欠点がある。また、衛生面から、パチンコ用玉箱を洗浄する必要があるが、水洗いがしにくいという問題がある。さらに、通常、パチンコ用玉箱としては、例えば、ポリカーボネイト等の耐衝撃性に優れた硬質熱可塑性合成樹脂製のものが使用されているため、シンナー類等の化学薬品を使用して洗浄することが困難である。
【０００６】
そこで、前記弾性板をパチンコ用玉箱本体から剥がし、両者を別々に洗浄した後、再びその弾性板を、あるいは新しい弾性板を、パチンコ用玉箱本体に貼り付けていることが考えられるが、パチンコ用玉箱本体の底面に緩衝シート（弾力板）を融着させたパチンコ用玉箱（例えば、特許文献１参照）は、緩衝シート（弾性板）をパチンコ用玉箱本体から剥がすことができない。
【０００７】
一方、両面テープで弾性板を貼り付けたものは、弾性板をパチンコ用玉箱本体から剥がし難いという欠点がある。そこで、前記弾性板に、貼ったり、剥がしたりが容易に行え、繰り返し使用できるテープを取り付けたものが提案されているが、このテープは高価であり、パチンコ用玉箱の製造コストが高くなるという問題がある。
【０００８】
また、近年では、上面を開口した合成樹脂製箱体と、箱体の底部に敷設する平板状シートと、該平板状シートを抑えかつ底部に装着しうる装着手段を備えた抑え枠と、を設け、箱体底部に敷設した該平板状シートを抑え枠で抑えて装着手段で箱体底部に脱着可能に装着したパチンコ用玉箱が提案されている。（例えば、特許文献２参照）。
【０００９】
【特許文献１】
特開平１１−１２８５２５号公報
【特許文献２】
特開２００１−１３７５２９号公報
【００１０】
【発明が解決しようとする課題】
しかしながら、平板状シートを抑え枠で抑えて装着手段で箱体底部に脱着可能に装着したパチンコ用玉箱（例えば、特許文献２参照）は、平板状シートを抑え枠で抑えることにより、箱体に脱着可能に装着するため、装着に手間がかかる。また、部品数が増加するという欠点もある。
【００１１】
本発明は、このような従来のパチンコ用玉箱のような収納箱を改良することを課題とするものであり、箱体に対するシートの脱着が容易であり、被収納物を収納する際に発生する騒音や衝撃力を抑制することができる安価な収納箱を提供することを目的とするものである。
【００１２】
【課題を解決するための手段】
この目的を達成するため、本発明は、上面を開口した箱体と、当該箱体の底面に配置されるシートと、を備えた収納箱であって、前記箱体に係合部を形成し、前記シートに当該係合部が係脱可能に係合する被係合部を形成してなり、前記係合部は、前記箱体の側壁に形成され且つ前記被係合部を挿入可能な開口部を有し、前記開口部に前記被係合部を挿入することにより、当該被係合部と係合して前記シートを前記箱体の底面に配置してなる収納箱を提供するものである。
【００１３】
この構成を備えた収納箱は、箱体の側壁に形成された開口部に、シートの被係合部を挿入させるという簡単な操作だけで、箱体にシートを確実に配設することができる。また、前記シートを開口部から抜取るだけで、シートを箱体の底面から簡単に取外すことができる。したがって、箱体に対するシートの脱着が容易であり、かつ被収納物を収納する際に発生する騒音や衝撃力を抑制することができる。
【００１４】
前記シートは、弾性を有する緩衝シートから構成することができる。この緩衝シートとしては、例えば、ポリエチレン、ポリプロピレン、ポリウレタン、ゴム、ポリエステル系エラストマー、スチレン−ブタジエン系エラストマー、ポリブタジエン系エラストマー、ポリアミド系エラストマー、ポリウレタン系エラストマー、ポリ塩化ビニル系エラストマー等を用いることができる。
【００１５】
また、前記係合部は、開口部に挿入された被係合部に当接して、当該被係合部が前記箱体の上面に向けて移動することを阻止する当接部をさらに備えることができる。
【００１６】
このようにすることで、前記シートを前記箱体に対して、さらに安定した状態で配置させることができる。また、例えば、シートが配置された収納箱を逆さにしても、当該シートが箱体から不意に外れたり、落下したりすることを防止することもできる。
【００１７】
また、本発明にかかる収納箱は、前記当接部に係合突起を形成し、前記被係合部に当該係合突起が係脱可能に係合する係合凹部を形成することもできる。あるいは、前記当接部に係合凹部を形成し、前記被係合部に当該係合凹部が係脱可能に係合する係合突起を形成してもよい。
【００１８】
このように構成すれば、前記シートを前記箱体に対して、より一層安定した状態で配置させることができる。また、例えば、シートが配置された収納箱を逆さにしても、当該シートが箱体から不意に外れたり、落下したりすることを、より確実に防止することもできる。
【００１９】
前記係合部は、前記箱体の対向した一対の側壁（すなわち、互いに向き合った２つの側壁）に形成することができる。
【００２０】
また、本発明にかかる収納箱は、前記箱体の底面に配置されたシートが透過性を有し、前記箱体の底面と当該シートとの間に第３のシートを配設した構成とすることができる。そしてまた、本発明にかかる収納箱は、前記箱体の底面に配置されたシートの上に、前記係合部と係合可能な被係合部を備えた透過性シートをさらに配設し、前記シートと透過性シートとの間に、第３のシートを配設した構成とすることもできる。
【００２１】
このようにすることで、第３のシートは、前記透過性シートを介して外部から目視することができる。したがって、例えば、第３のシートとして広告を用いれば、効果的な宣伝活動となる。また、透過性シートは、簡単に着脱できるため、第３のシートも簡単に交換することができる。そしてまた、この透過性シートの存在により、前記シートが汚れることを防止することもできる。
【００２２】
前記第３のシートとしては、広告の他、写真、絵、メッセージカード等、任意のシートを採用することができる。
【００２３】
前記収納箱としては、例えば、パチンコ用玉箱等が挙げられる。
【００２４】
【発明の実施の形態】
次に、本発明の好適な実施形態にかかる収納箱について、図面を参照して説明する。なお、以下に記載される実施の形態は、本発明を説明するための例示であり、本発明をこれらの実施形態にのみ限定するものではない。したがって、本発明は、その要旨を逸脱しない限り、様々な形態で実施することができる。
【００２５】
（実施の形態１）
実施の形態１では、収納箱としてパチンコ用玉箱を採用した場合について説明する。
【００２６】
図１は、実施の形態１にかかるパチンコ用玉箱の分解斜視図、図２は、図１に示すパチンコ用玉箱を組み立てた状態を示す斜視図、図３は、図１に示すパチンコ用玉箱を構成する箱体の平面図、図４は、図１に示すパチンコ用玉箱を構成する箱体の側面図、図５は、図１に示すパチンコ用玉箱を構成する箱体の係合部を示す拡大正面図、図６は、図５に示すＶＩ−ＶＩ線に沿った断面図、図７は、図１に示すパチンコ用玉箱を組み立てた状態の一部を示す平面図、図８は、実施の形態１にかかるパチンコ用玉箱が適用される遊戯機の一例としてのパチンコ機の正面図である。
【００２７】
図８には、実施の形態１に係るパチンコ機１００が示されている。このパチンコ機１００は、店側のベース面１２０に支持されている。ベース面１２０は、カウンタ状に遊戯者側に突出した水平面となっている。
【００２８】
枠体１１４の内側正面には、透明ガラス板１１６が配設されている。この透明ガラス板１１６で仕切られた内側領域には、遊技盤１１８が配設されている。
【００２９】
前記透明ガラス板１１６の下部は、賞玉されたパチンコ玉２０を受け止める上皿１２２、パチンコ玉２０の発射を制御するハンドル１２４、上皿１２２から落下するパチンコ玉２０を受ける下皿１２６と、が設けられている。
【００３０】
前記上皿１２２及び下皿１２６にパチンコ玉２０が満杯になると、遊戯者はこれをパチンコ用玉箱１に移し変える。
【００３１】
図１〜図７に示すように、実施の形態１にかかるパチンコ用玉箱１は、上面を開口した箱体１１と、箱体１１の底面に配置されるシート１２を備えて構成されている。
【００３２】
箱体１１は、パチンコ玉２０（図８参照）を収容する主凹状部３０が設けられており、約１５００〜４０００発のパチンコ玉２０を収容することができる。この箱体１１の外形は略直方体であり、開口縁部には、返し部３２が形成され、箱体１１の開口部の剛性を高めている。
【００３３】
また、この返し部３２に沿って主凹状部３０の長辺の内壁面上部には、平面部３４を有する段差部３６が形成されている。この平面部３４の両端部は、徐々に幅寸法が小さくなるように形成されている。また、この平面部３４は、中央部（主凹状部３０の長辺側中央）から両端部（主凹状部３０の短辺側近傍）にかけて徐々に低位となる傾斜面とされている。
【００３４】
すなわち、この段差部３６の平面部３４は、下皿１２６（図８参照）から落下するパチンコ玉２０を集中して主凹状部３０の特定の位置に落とさず、分散して落とすための案内レールとして役目を有する。さらに、この段差部３６は、箱体１１に多量のパチンコ玉２０が収容されて運搬されるときの変形を防止するべく、箱体１１全体の剛性を高める役目も有している。
【００３５】
また、返し部３２における互いに対向する短辺側縁部には、それぞれ握り部３８が形成されている。握り部３８は、返し部３２と連続的に設けられている。この握り部３８は、前記短辺側縁部から一対のリブ４２によって補強されている。
【００３６】
箱体１１の底面１１Ａの長手方向両側には、後に詳述するシート１２に形成された切欠き部５３Ａと切欠き部５３Ｂとの間に形成された被係合部５４が、着脱可能に係合する係合部４０が、各々形成されている。具体的には、この係合部４０は、主凹状部３０を画定する箱体１１の側壁３１から内側に向けて、底面１１Ａとほぼ平行に突出形成された当接部４１と、当接部４１の前記短辺側縁部方向の端部から底面１１Ａまで連続形成され、当接部４１を補強する補強壁４２Ａ及び４２Ｂと、当接部４１、補強壁４２Ａ及び４２Ｂ、底面１１Ａによって画定された開口部４３と、を備えて構成されている。
【００３７】
開口部４３には、シート１２の被係合部５４が着脱可能に挿入される。また、開口部４３に挿入された被係合部５４は、当接部４１の下面に当接可能となっている。この当接部４１の下面には、後に詳述する被係合部５４に形成された係合凹部としての孔５５に着脱可能に係合する係合突起４４が形成されている。
【００３８】
シート１２は、箱体１１の底面１１Ａに相補した形状を有しており、両短辺側縁部の略中央部には、箱体１１に形成された開口部４３に着脱可能に挿入される被係合部５４が各々形成されている。この被係合部５４は、その両側に形成された切欠部５３Ａ及び５３Ｂによって画定されている。また、被係合部５４には、箱体１１の当接部４１に下面に形成された係合突起４４が係合する孔５５が形成されている。
【００３９】
シート１２は、弾性を有する緩衝シートからなり、パチンコ玉２０がパチンコ用玉箱１に収納される際に発生する騒音や衝撃力を抑制することができる。このシート１２は、例えば、ポリエチレン、ポリプロピレン、ポリウレタン、ゴム、ポリエステル系エラストマー、スチレン−ブタジエン系エラストマー、ポリブタジエン系エラストマー、ポリアミド系エラストマー、ポリウレタン系エラストマー、ポリ塩化ビニル系エラストマー等から構成することができる。そしてまた、このシート１２は、所望により、青、赤、黄色、水色、緑、ピンク等、所望の着色を行うことができる。また、透明、半透明であってもよい。
【００４０】
このシート１２は、切欠部５３Ａ及び５３Ｂに、箱体１１の補助壁４２Ａ及び４２Ｂを挿入し、箱体１１の開口部４３に被係合部５４を挿入させ、孔５５に係合突起４４を係合させた状態で、図２に示すように、箱体１１の底面１１Ａに配置される。ここで、シート１２は弾性を有しているため、切欠部５３Ａ及び５３Ｂ内に４２Ａ及び４２Ｂを、開口部４３に被係合部５４を、そして孔５５に係合突起４４を、各々簡単に挿入させることができる。このようにして、シート１２を箱体１１の底面１１Ａに配置することにより、シート１２の被係合部５４は、箱体１１の当接部４１に当接可能であると共に、孔５５に係合突起４４が係合した状態になるため、シート１２を箱体１１に対して、安定した状態で配置させることができる。また、例えば、シート１２が配置されたパチンコ用玉箱１を逆さにしても、シート１２が箱体１１から不意に外れたり、落下したりすることを防止することもできる。さらに、シート１２は、孔５５と係合突起４４との係合を解除し、被係合部５４を開口部４３から取外すだけで、箱体１１から簡単に取外すこともできる。
【００４１】
次に、実施の形態１にかかるパチンコ用玉箱１を使用する際の具体的動作について説明する。
【００４２】
図８に示すパチンコ機１００にて、遊戯者がハンドル１２４を操作すると、遊戯者が所有するパチンコ玉２０が遊戯盤１１８の面上へと発射される。すなわち、パチンコ玉２０を投資する。遊戯盤１１８の面上では、パチンコ玉２０が釘や風車等に当接しながら自由落下し、所定の入賞口に入賞すると、その入賞口毎に設定された賞玉数のパチンコ玉２０が還元される。この還元されたパチンコ玉２０は、上皿１２２へ戻される。上皿１２２は、直接ハンドル１２４の操作による発射装置へ送られるため、遊戯者は継続して遊戯を楽しむことができる。
【００４３】
ところで、遊戯盤１１８の面上において特別の入賞口に入賞し、例えば抽選等が行われて所謂大当たりとなると、パチンコ機１００の投資に対して、数倍もの還元がなされる。このような大当たり状態では、上皿１２２はパチンコ玉２０で直ぐに満杯となり、自動的にパチンコ玉２０は下皿１２６へ案内される。さらに、賞玉が続くと、下皿１２６も満杯となり得る。このため、遊戯店では、パチンコ用玉箱１を準備しておき、遊戯者が大当たりとなるとこのパチンコ用玉箱１を貸し出す。
【００４４】
遊戯者は、下皿１２６に貯まったパチンコ玉２０をパチンコ用玉箱１へと移し変えることになる。この時、パチンコ玉２０は、下皿１１２６からパチンコ用玉箱１に落下するが、パチンコ用玉箱１の底面１１には、消音効果及び衝撃吸収効果を有するシート１２が配設されているため、パチンコ店内に大きな騒音が響きわたることを防止することができる。
【００４５】
また、シート１２は、孔５５と係合突起４４との係合を解除し、被係合部５４を開口部４３から取外すだけで、箱体１１から簡単に取外すこともできる。このため、パチンコ用玉箱１の清掃を簡単に行うことができる。また、シート１２のみを取り替えることもできる。
【００４６】
なお、実施の形態１では、箱体１１の側壁３１の長手方向両側に係合部４０を配置した場合について説明したが、これに限らず、係合部４０の配設位置は、シート１２を箱体１１の底面１１Ａに着脱可能に固定できれば、所望により決定してよい。また、係合部４０の配設数も、任意に決定してよい。この場合、シート１２に形成する切欠部５３Ａ及び５３Ｂ、被係合部５４、孔５５の位置、及び形成数もこれに準じて変更可能であることは勿論である。
【００４７】
また、実施の形態１では、被係合部５４に、係合突起４４と係合する孔５５を形成した場合について説明したが、これに限らず、被係合部５４に係合突起を形成し、当接部４１にこの係合突起と係合する孔を形成してもよい。また、係合突起と係合する孔は、溝等の係合凹部であってもよい。また、この係合凹部と係合突起は、本発明の必須要件ではなく、必ずしも設けなくてもよい。
【００４８】
（実施の形態２）
次に、本発明の実施の形態２にかかるパチンコ用玉箱について、図面を参照して説明する。
【００４９】
図９は、実施の形態２にかかるパチンコ用玉箱の分解斜視図、図１０は、図９に示すパチンコ用玉箱を組み立てた状態を示す斜視図である。
【００５０】
なお、実施の形態２では、実施の形態１で説明した部材と同様の部材には、同一の符号を付し、その詳細な説明は省略する。
【００５１】
図９及び図１０に示すように、実施の形態２にかかるパチンコ用玉箱２と、実施の形態１にかかるパチンコ用玉箱１との異なる点は、シート１２の上に、透過性シート１３をさらに配設し、透過性シート１３とシート１２との間に広告紙１４を配設した点である。
【００５２】
透過性シート１３は、シート１２とほぼ同一の形状を有し、両短辺側縁部の略中央部には、箱体１１に形成された開口部４３に着脱可能に挿入される被係合部６４が各々形成されている。この被係合部６４は、その両側に形成された切欠部６３Ａ及び６３Ｂによって画定されている。また、被係合部６４には、箱体１１の当接部４１に下面に形成された係合突起４４が係合する孔６５が形成されている。この透過性シート１３は、シート１２との間に挟んだ（配設した）広告紙１４が外部から見えるような透明度を有している。
【００５３】
実施の形態２にかかるパチンコ用玉箱２も、実施の形態１にかかるパチンコ用玉箱１と同様に、シート１２及び透過性シート１３の着脱が簡単であるため、清掃が簡単であると共に、シート１２、広告紙１４、透過性シート１３の取り替えを簡単に行うことができる。
【００５４】
なお、透過性シート１３は、広告紙１４に記載されている内容が外部から判別できる程度の透過性を有していればよく、透明なシート、反射防止加工がなされた半透明なシート等、任意に選択することができる。
【００５５】
また、実施の形態２では、シート１２の上に透過性シート１３を配設した場合について説明したが、これに限らず、シート１２自身を透過性のあるシートから構成し、箱体１１の底面１１Ａと、この透過性のあるシート１２との間に広告紙１４（あるいは、写真、絵、カード等）を配設してもよい。
【００５６】
また、シート１２と透過性シート１３との間に広告紙１４を設けずに、透過性シート１３に所望の印刷を施してもよい。あるいは、シート１２に所望の印刷を施し、その上に透過性シート１３を配設してもよい。
【００５７】
さらにまた、広告紙１４をパウチ加工（ラミネート加工）することで、内部に広告紙１４が配置された透過性シート１３を作成し、これを使用してもよい。
【００５８】
なお、実施の形態１及び２では、収納箱としてパチンコ用玉箱について説明したが、これに限らず、例えば、スロットマシンやパチスロ機のメダル等、種々の被収納物を収納する収納箱に応用可能であることは勿論である。
【００５９】
【発明の効果】
以上説明したように、本発明にかかる収納箱は、箱体の側壁に形成された開口部に、シートの被係合部を挿入させるという簡単な操作だけで、箱体にシートを確実に配設することができる。また、前記シートを開口部から抜取るだけで、シートを箱体の底面から簡単に取外すことができる。したがって、箱体に対するシートの脱着が容易であり、被収納物を収納する際に発生する騒音や衝撃力を抑制することができる安価な収納箱を提供することができる。
【図面の簡単な説明】
【図１】本発明の実施の形態１にかかるパチンコ用玉箱の分解斜視図である。
【図２】図１に示すパチンコ用玉箱を組み立てた状態を示す斜視図である。
【図３】図１に示すパチンコ用玉箱を構成する箱体の平面図である。
【図４】図１に示すパチンコ用玉箱を構成する箱体の側面図である。
【図５】図１に示すパチンコ用玉箱を構成する箱体の係合部を示す拡大正面図である。
【図６】図５に示すＶＩ−ＶＩ線に沿った断面図である。
【図７】図１に示すパチンコ用玉箱を組み立てた状態の一部を示す平面図である。
【図８】本発明の実施の形態１にかかるパチンコ用玉箱が適用される遊戯機の一例としてのパチンコ機の正面図である。立てた状態を示す斜視図である。
【図９】本発明の実施の形態２にかかるパチンコ用玉箱の分解斜視図である。
【図１０】図９に示すパチンコ用玉箱を組み立てた状態を示す斜視図である。
【符号の説明】
１、２    パチンコ用玉箱
１１    箱体
１１Ａ    底面
１２    シート
１３    透過性シート
１４    広告紙
２０    パチンコ玉
４０    係合部
４１    当接部
４３    開口部
４４    係合突起
５３Ａ、５３Ｂ、６３Ａ、６３Ｂ    切欠部
５４    被係合部
５５    孔
【図１】
2004351140.tif 000003
【図２】
2004351140.tif 000004
【図３】
2004351140.tif 000005
【図４】
2004351140.tif 000006
【図５】
2004351140.tif 000007
【図６】
2004351140.tif 000008
【図７】
2004351140.tif 000009
【図８】
2004351140.tif 000010
【図９】
2004351140.tif 000011
【図１０】
2004351140.tif 000012